(57)【要約】【課題】鉗子栓に対して適切な挿入部外径を有する内視鏡用処置具を確実に選択使用して、鉗子栓のスリットや小孔の破損や汚液の飛散等の発生を未然に防止することができる内視鏡システムを提供すること。【解決手段】鉗子栓１０に、スリット２７又は小孔１５に通すのに適する内視鏡用処置具５０の挿入部外径のサイズを表示し、或いは、複数種類の内視鏡用処置具５０Ａ，５０Ｂに種類別に異なる識別マーク５３Ａ，５３Ｂを形成すると共に、複数種類の各鉗子栓１０Ａ，１０Ｂ毎に、そのスリット２７又は小孔１５に通すのに適する挿入部外径を有する内視鏡用処置具５０Ａ，５０Ｂと同じ識別マーク４２Ａ，４２Ｂを形成した。【選択図】      図１
2005000407.tif 000002
【特許請求の範囲】
【請求項１】
あい異なる挿入部外径を有する複数種類の内視鏡用処置具と、上記内視鏡用処置具により押し開かれるスリット又は小孔が上記内視鏡用処置具の各挿入部外径に対応する大きさに形成された弾力性のある部材からなる閉鎖膜を有する複数種類の鉗子栓とが設けられた内視鏡システムにおいて、
上記鉗子栓に、上記スリット又は小孔に通すのに適する内視鏡用処置具の挿入部外径のサイズを表示したことを特徴とする内視鏡システム。
【請求項２】
あい異なる挿入部外径を有する複数種類の内視鏡用処置具と、上記内視鏡用処置具により押し開かれるスリット又は小孔が上記内視鏡用処置具の各挿入部外径に対応する大きさに形成された弾力性のある部材からなる閉鎖膜を有する複数種類の鉗子栓とが設けられた内視鏡システムにおいて、
上記複数種類の内視鏡用処置具に種類別に異なる識別マークを形成すると共に、上記複数種類の各鉗子栓毎に、そのスリット又は小孔に通すのに適する挿入部外径を有する内視鏡用処置具と同じ識別マークを形成したことを特徴とする内視鏡システム。
【発明の詳細な説明】
【０００１】
【発明の属する技術分野】
この発明は内視鏡システムに関する。
【０００２】
【従来の技術】
内視鏡の鉗子栓は一般に、スリット（又は小孔）が形成された弾力性のある部材からなる閉鎖膜を有していて、通常は閉じた状態を維持しているスリットが、内視鏡用処置具を通すことにより押し開かれるようになっている（例えば、特許文献１）
【０００３】
【特許文献１】
特開２００２−２８１２９
【０００４】
【発明が解決しようとする課題】
しかし、内視鏡用処置具としては、あい異なる挿入部外径を有する複数種類のものが存在するのが普通であり、鉗子栓に通す内視鏡用処置具の挿入部外径がスリット（又は小孔）の大きさに対して大きすぎるとスリット（又は小孔）を破損し、小さすぎると使用時に漏れが発生して汚液の飛散の原因になる。
【０００５】
そこで本発明は、鉗子栓に対して適切な挿入部外径を有する内視鏡用処置具を確実に選択使用して、鉗子栓のスリットや小孔の破損や汚液の飛散等の発生を未然に防止することができる内視鏡システムを提供することを目的とする。
【０００６】
【課題を解決するための手段】
上記の目的を達成するため、本発明の内視鏡システムは、あい異なる挿入部外径を有する複数種類の内視鏡用処置具と、内視鏡用処置具により押し開かれるスリット又は小孔が内視鏡用処置具の各挿入部外径に対応する大きさに形成された弾力性のある部材からなる閉鎖膜を有する複数種類の鉗子栓とが設けられた内視鏡システムにおいて、鉗子栓に、スリット又は小孔に通すのに適する内視鏡用処置具の挿入部外径のサイズを表示し、或いは、複数種類の内視鏡用処置具に種類別に異なる識別マークを形成すると共に、複数種類の各鉗子栓毎に、そのスリット又は小孔に通すのに適する挿入部外径を有する内視鏡用処置具と同じ識別マークを形成したものである。
【０００７】
【発明の実施の形態】
図面を参照して本発明の実施例を説明する。
図２において、１は、可撓管によって外装された内視鏡挿入部であり、その基端が内視鏡操作部２の下端に連結されている。
【０００８】
内視鏡挿入部１内に挿通配置された処置具挿通チャンネル３の先端は内視鏡挿入部１の先端において外部に開口し、処置具挿通チャンネル３の入口に配置された鉗子栓１０が、内視鏡操作部２の下端部分から斜め上方に突出している。
【０００９】
５０は、内視鏡用処置具であり、処置具挿入部５１は、操作ワイヤが挿通配置された可撓性シースの先端に先端処置片（例えば鉗子カップ等）が取り付けられた構成になっていて、その基端に処置具操作部５２が連結されている。
【００１０】
図３は、処置具挿通チャンネル３の入口端部に設けられた入口口金３０に着脱自在に取り付けられた鉗子栓１０を示しており、鉗子栓１０は、各々が弾力性のあるゴム材等によって形成された樽状部材１１に、蓋状部材１２を着脱自在に取り付けて構成されている。
【００１１】
樽状部材１１は、その内周面に突設された弾性突起部１３が入口口金３０の口元近傍に形成された円周溝部３２に嵌め込まれており、弾性突起部１３の周辺を弾性変形させて円周溝部３２に係脱させることにより、樽状部材１１を入口口金３０に着脱することができる。
【００１２】
樽状部材１１には、中心に小孔１５が形成された内側閉鎖膜１４が、入口口金３０の開口端に対向する位置に形成されている。処置具挿通チャンネル３内に挿脱される処置具がそこを通過すると、小孔１５が処置具により弾力的に押し広げられて処置具の外周面に密着し、処置具挿通チャンネル３内と外部との間がシールされる。
【００１３】
蓋状部材１２は、樽状部材１１の開口部に外方から着脱自在に嵌め込まれ、蓋状部材１２の嵌め込まれる部分の先端に突設された鍔部２４が、樽状部材１１の開口部の内周に形成された円周溝１７に係脱自在である。
【００１４】
そして、蓋状部材１２側を弾力的に変形させて鍔部２４を円周溝１７に係合させれば、蓋状部材１２が樽状部材１１の開口部に係止された状態になり、鍔部２４を弾性変形させて円周溝１７から外すことにより蓋状部材１２を樽状部材１１の開口部から外すことができる。
【００１５】
蓋状部材１２の底部分は外側閉鎖膜２６になっていて、その中央にスリット２７が形成されている。スリット２７は、通常は自己の弾力性によって閉じた状態を維持して処置具挿通チャンネル３内と外部との間をシールしており、処置具挿通チャンネル３に挿脱される処置具によって弾力的に押し開かれる。
【００１６】
蓋状部材１２からは薄くて細長い帯状部材２２が蓋状部材１２と一体成形されて延出形成されており、その帯状部材２２の他端部には樽状部材１１に係脱する環状部２３が一体成形されて形成されている。そして、その環状部２３が係合する円周溝２０が樽状部材１１の外周に形成されている。
【００１７】
そのような鉗子栓１０に通して使用される処置具５０には、同じ使用目的のものであっても、処置具挿入部５１の外径サイズ（ここでは、処置具挿入部５１の中で最も太い先端部分の外径をいう）が相違する複数種類のものがあり、それが通される鉗子栓１０のスリット２７と小孔１５の径も処置具挿入部５１の外径サイズに適合する適切なサイズのものでなければならない。
【００１８】
そこで、この実施例の内視鏡システムにおいては、図１に示されるように、鉗子栓１０の蓋状部材１２の裏面に、そこに通される処置具挿入部５１の適正な外径サイズを表示する例えば「１４Ｆｒ．」のようなサイズ表示４１を表示してある。なおＦｒ．とはＦｒｅｎｃｈの略記である。
【００１９】
したがって、使用者はそのサイズ表示４１を見ることにより処置具５０の選択に誤りがないかどうかを容易に確認して、鉗子栓１０のスリット２７と小孔１５の径に対応する適切な処置具５０を使用することができる。なお、サイズ表示４１は蓋状部材１２の表面側に表示してもよく、樽状部材１１側などに表示しても差し支えない。
【００２０】
図４と図５は本発明の第２の実施例を示しており、サイズ表示以外の部分については前述の第１の実施例と同じ構成である。
この実施例においては、図４に示されるように、処置具挿入部５１の外径サイズが相違する複数種類の処置具５０Ａ，５０Ｂの処置具操作部５２Ａ，５２Ｂに、種類別に異なる識別マーク５３Ａ，５３Ｂが、例えば▲と●のごとく表示されている。ただし、処置具操作部５２Ａ，５２Ｂ以外の部分に表示してもよい。
【００２１】
そして、図５に示されるように、複数種類の処置具５０Ａ，５０Ｂの各処置具挿入部５１の外径サイズに対応するサイズのスリット２７と小孔１５とを有する複数種類の鉗子栓１０Ａ，１０Ｂの蓋状部材１２Ａ，１２Ｂに、処置具５０Ａ，５０Ｂ側の識別マーク５３Ａ，５３Ｂと同じ識別マーク４２Ａ，４２Ｂが、▲と●のごとく表示されている。
【００２２】
したがって、使用者は、鉗子栓１０Ａ，１０Ｂに表示されている識別マーク４２Ａ，４２Ｂと合致する識別マーク５３Ａ，５３Ｂを有する処置具５０Ａ，５０Ｂを選択使用することにより、鉗子栓１０Ａ，１０Ｂのスリット２７と小孔１５の径に対応する適切な処置具５０Ａ，５０Ｂを選択使用することができる。
【００２３】
なお、本発明は上記実施例に限定されるものではなく、例えば鉗子栓１０のスリット２７と小孔１５については、いずれか一方だけ設けられている場合であってもよく、識別マークは、▲や●以外のどのようなものであっても差し支えない。
【００２４】
また処置具は、処置具挿入部がチューブのみによって構成されたもの等を含めどのようなものであっても差し支えない。
【００２５】
【発明の効果】
本発明によれば、鉗子栓に、スリット又は小孔に通すのに適する内視鏡用処置具の挿入部外径のサイズを表示し、或いは、複数種類の内視鏡用処置具に種類別に異なる識別マークを形成して、複数種類の各鉗子栓毎にそのスリット又は小孔に通すのに適する挿入部外径を有する内視鏡用処置具と同じ識別マークを形成したことにより、鉗子栓に対して適切な挿入部外径を有する内視鏡用処置具を確実に選択使用して、鉗子栓のスリットや小孔の破損や汚液の飛散等の発生を未然に防止することができる。
【図面の簡単な説明】
【図１】本発明の第１の実施例の鉗子栓の蓋状部材部分の背面図である。
【図２】本発明の実施例の内視鏡と処置具の全体構成図である。
【図３】本発明の実施例の鉗子栓の側面断面図である。
【図４】本発明の第２の実施例の処置具操作部の外観図である。
【図５】本発明の第２の実施例の鉗子栓の蓋状部材部分の背面図である。
【符号の説明】
１０，１０Ａ，１０Ｂ  鉗子栓
１２，１２Ａ，１２Ｂ  蓋状部材
１４，２６  閉鎖膜
１５  小孔
２７  スリット
４１  サイズ表示
４２Ａ，４２Ｂ  識別マーク
５０，５０Ａ，５０Ｂ  処置具
５２，５２Ａ，５２Ｂ  処置具操作部
５３Ａ，５３Ｂ  識別マーク
【図１】
2005000407.tif 000003
【図２】
2005000407.tif 000004
【図３】
2005000407.tif 000005
【図４】
2005000407.tif 000006
【図５】
2005000407.tif 000007